(57)【特許請求の範囲】
【請求項１】
正面側の筐体である正面側筐体と背面側の筐体である背面側筐体とを備えた携帯型電子機器であって、
前記正面側筐体によって一方の面が覆われ、前記背面側筐体によって他方の面が覆われ、電気部品が搭載された電気基板と、
前記電気基板を保持するフレームと、
前記電気基板を支持する軟質性樹脂製の支持部材とを備え、
前記正面側筐体および前記背面側筐体は、前記携帯型電子機器の側面を覆う側壁をそれぞれ含み、
前記正面側筐体の側壁の端部および前記背面側筐体の側壁の端部には、凹形状の溝がそれぞれ設けられ、
前記支持部材は、前記正面側筐体の側壁の端部に設けられた溝に嵌合する正面側凸形状部と前記背面側筐体の側壁の端部に設けられた溝に嵌合する背面側凸形状部とがそれぞれ形成されて前記正面側筐体と前記背面側筐体とに支持される周縁部を含み、
前記支持部材は、前記フレームを介して前記電気基板を支持する
ことを特徴とする携帯型電子機器。
【請求項２】
支持部材とフレームとは、２色成形によって一の部品に成形されている
請求項１記載の携帯型電子機器。
【請求項３】
支持部材とフレームとは、かしめ作業によって圧着されている
請求項１記載の携帯型電子機器。
【請求項４】
支持部材は、周縁部に囲まれ、フレームの外形に応じた形状の空間である収容部と、
前記収容部に収容された前記フレームの端部を支持するフレーム支持部とを含む
請求項１から請求項３のうちいずれか１項に記載の携帯型電子機器。
【請求項５】
支持部材は、周縁部に囲まれ、フレームの外形に応じた袋状に成形されて内部に前記フレームを収容する収容部を含む
請求項１から請求項３のうちいずれか１項に記載の携帯型電子機器。
【請求項６】
正面側筐体の側壁の端部および背面側筐体の側壁の端部には、複数の凹形状の溝がそれぞれ設けられ、
支持部材の周縁部には、前記正面側筐体の側壁の端部に設けられた複数の溝にそれぞれ嵌合する複数の正面側凸形状部と前記背面側筐体の側壁の端部に設けられた複数の溝にそれぞれ嵌合する複数の背面側凸形状部とがそれぞれ形成されている
請求項１から請求項５のうちいずれか１項に記載の携帯型電子機器。
【発明の詳細な説明】
【技術分野】
【０００１】
本発明は、電気基板を浮動的に支持する携帯型電子機器および電気基板の支持部材に関する。
【背景技術】
【０００２】
防水性能を有する携帯型電子機器がある。そのような携帯型電子機器には、機器内部への水の侵入を防ぐために、複数の外装部品間の接合部および外装部品の開口部を覆うカバーにゴム製のパッキン部品が用いられている。
【０００３】
パッキン部品には、一般に、軟質のゴムが成形されて用いられている。従って、パッキン部品を大型化すると駆体部材が小型化されることになり、携帯型電子機器の強度が低下するおそれがある。しかし、携帯型電子機器の小型化、高機能化および高性能化が進んでおり、精密機器である携帯型電子機器に高い防水性能と高い強度とを両立することが求められている。
【０００４】
図１５は、一般的な携帯型電子機器を示す分解斜視図である。図１５に示す例では、携帯型電子機器はフロントケース１０１の側面の端部とリアカバー１０２の側面の端部とが接するように構成されている。そして、携帯型電子機器は、フロントケース１０１の側面の端部に設けられた溝とリアカバー１０２の側面の端部に設けられた溝とにリング状パッキン部品１０４が挟まれて内部への水の侵入を防ぐように構成されている。
【０００５】
リング状パッキン部品１０４は、携帯型電子機器の内部への水の侵入を防ぐことのみを目的としているので、図１５に示すように、リング状に成形されている。
【０００６】
図１６は、図１５に例示した一般的な携帯型電子機器の断面を示す説明図である。図１６（Ａ）は、図１５に例示した一般的な携帯型電子機器の正面図である。図１６（Ｂ）は、図１５に例示した携帯型電子機器１００を側方から見た断面図である。図１６（Ｃ）は、図１５に例示した携帯型電子機器１００を上方から見た断面図である。
【０００７】
図１６に示すように、一般的な携帯型電子機器では、フロントケース１０１の内壁におけるリアカバー１０２の内壁に向かい合う面には凸形状部１０５が設けられている。当該凸形状部１０５は、フロントケース１０１とリアカバー１０２とを締結するためのハウジング用ねじ１２０の円柱部に設けられた螺旋状の溝に応じた溝を内壁に有する。また、リアカバー１０２の内壁におけるフロントケース１０１の内壁に向かい合う面に、ハウジング用ねじ１２０の円柱部が通過する貫通穴を有する凸形状部１０６が設けられている。そして、携帯型電子機器のフロントケース１０１とリアカバー１０２とは、ハウジング用ねじ１２０によって締結され、電気基板１５０は、フロントケース１０１に設けられた凸形状部１０５の頂部とリアカバー１０２に設けられた凸形状部１０６の頂部とによって挟まれて固定される。
【０００８】
特許文献１には、保護対象部品の端部を覆う衝撃緩衝部材が設置された装置が記載されている。
【０００９】
特許文献２には、シート状のパッキンが接合され、筐体内を防水領域と浸水可能領域とに分かつ金属板を含む機器が記載されている。
【先行技術文献】
【特許文献】
【００１０】
【特許文献１】特開２００１−１７５６０８号公報（段落００１２〜００２０、図１）
【特許文献２】特開２００９−５３２６号公報（段落００１８〜００２０、図１）
【発明の概要】
【発明が解決しようとする課題】
【００１１】
図１５および図１６に示すように、一般的な携帯型電子機器の内部に設置された電気基板１５０は、ハウジング用ねじ１２０によってフロントケース１０１とリアカバー１０２とに挟まれて締結されて固定されている。従って、フロントケース１０１またはリアカバー１０２に力が加えられたり、力が加えられたことに応じてフロントケース１０１またはリアカバー１０２が変形したりした場合に、当該電気基板１５０に衝撃が与えられたり、当該電気基板１５０が変形したりする。
【００１２】
特に、電気基板１５０に表面実装部品が設置され、高密度に部品が設置されていたりした場合には、表面実装部品が半田付けされるランドの面積が狭かったりする。そのような場合に、電気基板１５０に衝撃が与えられたり、電気基板１５０が変形したりすると、部品の設置に用いた半田に割れが生じたり、設置された部品が脱落したり、電気基板１５０に形成された電気回路が断線したり、部品間の接触抵抗が変化して当該電気回路の動作が不安定化したりして、様々な不具合が生じるおそれがある。なお、電気基板１５０が補強用のフレームを介してフロントケース１０１またはリアカバー１０２に接続されていた場合であっても、同様な問題が生じるおそれがある。
【００１３】
特許文献１に記載されている装置は、強い衝撃、および外装部品の大きな変形に備える場合に、大きな衝撃緩衝部材を備えなければならない。従って、駆体部材が小型化されて装置の強度が低下するおそれがある。つまり、特許文献１に記載されている装置は、高い防水性能と高い強度とを両立することができない。
【００１４】
また、特許文献２に記載されている機器は、電気基板が外装部品の内壁に直接に固定されており、強い衝撃や外装部品の変形によって不具合が生じるおそれがある。つまり、特許文献２に記載されている機器は、高い防水性能と高い強度とを両立することができない。
【００１５】
そこで、本発明は、高い防水性能と高い強度とを両立する携帯型電子機器および電気基板の支持部材を提供することを目的とする。
【課題を解決するための手段】
【００１６】
本発明による携帯型電子機器は、正面側の筐体である正面側筐体と背面側の筐体である背面側筐体とを備えた携帯型電子機器であって、正面側筐体によって一方の面が覆われ、背面側筐体によって他方の面が覆われ、電気部品が搭載された電気基板と、電気基板を保持するフレームと、電気基板を支持する軟質性樹脂製の支持部材とを備え、正面側筐体および背面側筐体は、携帯型電子機器の側面を覆う側壁をそれぞれ含み、正面側筐体の側壁の端部および背面側筐体の側壁の端部には、凹形状の溝がそれぞれ設けられ、支持部材は、正面側筐体の側壁の端部に設けられた溝に嵌合する正面側凸形状部と背面側筐体の側壁の端部に設けられた溝に嵌合する背面側凸形状部とがそれぞれ形成されて正面側筐体と背面側筐体とに支持される周縁部を含み、支持部材は、前記フレームを介して前記電気基板を支持することを特徴とする。
【発明の効果】
【００１８】
本発明によれば、軟質性樹脂の支持部材が電気基板を浮動的に支持するので、筐体に力が加えられた場合に支持部材が当該力を吸収して電気基板への当該力の伝達を防ぐことができる。
【００１９】
また、筐体に力が加えられたことに応じて当該筐体が変形した場合に支持部材が当該変形に応じて変形して、電気基板の変形を防ぐことができる。
【００２０】
さらに、周縁部に設けられた各凸形状部が各筐体に設けられた溝に嵌合するので、駆体部材を小型化することなく、筐体外部からの水の侵入を防ぐことができる。
【００２１】
つまり、本発明によれば、高い防水性能と高い強度とを両立することができる。
【図面の簡単な説明】
【００２２】
【図１】本発明による携帯型電子機器の実施形態の外観斜視図である。
【図２】本発明による携帯型電子機器の実施形態の分解斜視図である。
【図３】パッキン部品の周縁部の近傍を示す断面図である。
【図４】電池部パッキンの近傍を示す断面図である。
【図５】図１に示す携帯型電子機器の断面を示す説明図である。
【図６】パッキン部品における外部コネクタの近傍の形状例を示す断面図である。
【図７】リアカバーの主面の内壁に先端が接する凸形状部が設けられたパッキン部品を含む携帯型電子機器の例を示す説明図である。
【図８】パッキン部品とフレームとが一の２色成形部品である場合の例を示す断面図である。
【図９】パッキン部品が電気基板の周縁に嵌め込まれるように構成されている携帯型電子機器の例を示す断面図である。
【図１０】パッキン部品がフレームの周縁に嵌め込まれるように構成されている携帯型電子機器の例を示す断面図である。
【図１１】袋状に成形されたパッキン部品が電気基板を覆う携帯型電子機器の例を示す断面図である。
【図１２】袋状に成形されたパッキン部品がフレームによって固定された電気基板を覆う携帯型電子機器の例を示す断面図である。
【図１３】両面の周縁部が、厚さ方向にそれぞれ２箇所ずつ凸形状に成形されているパッキン部品の例を示す断面図である。
【図１４】本発明の概要を示す分解斜視図である。
【図１５】一般的な携帯型電子機器を示す分解斜視図である。
【図１６】図１５に例示した一般的な携帯型電子機器の断面を示す説明図である。
【発明を実施するための形態】
【００２３】
本発明による携帯型電子機器１００の実施形態について、図面を参照して説明する。図１は、本発明による携帯型電子機器１００の実施形態の外観斜視図である。本実施形態では、携帯型電子機器１００は、直方体状の携帯電話機であるとして説明する。
【００２４】
図１に示すように、本発明による携帯型電子機器１００は、正面側の外装部品であるフロントケース１と背面側の外装部品であるリアカバー２とを含む。以下、フロントケース１における携帯型電子機器１００の正面に相当する面をフロントケース１の主面といい、リアカバー２における携帯型電子機器１００の背面に相当する面をリアカバー２の主面といい、フロントケース１における携帯型電子機器１００の側面を構成する面をフロントケース１の側面といい、リアカバー２における携帯型電子機器１００の側面を構成する面をリアカバー２の側面という。つまり、フロントケース１は、主面を構成する壁と側面を構成する壁である側壁とを含む。また、リアカバー２は、主面を構成する壁と側面を構成する壁である側壁とを含む。
【００２５】
フロントケース１の側面の端部とリアカバー２の側面の端部とは、携帯型電子機器１００の側面で接する。フロントケース１の正面には、操作ボタン６および表示部２８が設置され、マイクロフォン孔２６およびスピーカ孔２７が設けられている。また、フロントケース１の側面には、外部コネクタ孔２５が設けられている。
【００２６】
図２は、本発明による携帯型電子機器１００の実施形態の分解斜視図である。図２に示すように、操作ボタン６およびボタン基板５１を挟んで、フロントケース１の主面の内壁とボタン固定フレーム７とがボタン固定ねじ２１によって締結される。
【００２７】
また、マイクロフォン用防水シート１０の一方の面が、フロントケース１の主面の内壁におけるマイクロフォン孔２６を覆う領域に貼付される。そして、フロントケース１の主面の内壁におけるマイクロフォン孔２６の周囲およびマイクロフォンの周囲を覆う側壁を有し、マイクロフォン用防水シート１０およびマイクロフォン孔２６を通過した音声が中空に形成されている内部を通過する立柱状のマイクロフォン用密閉部品１１がマイクロフォン用防水シート１０の他方の面の上に設置される。
【００２８】
なお、マイクロフォン用密閉部品１１の側壁の一方の端部（マイクロフォン用密閉部品１１の一方の開口部の周囲の側壁の端部）は、電気基板５０に接し、当該電気基板５０によってフロントケース１の主面の内壁の方向に力が加えられる。そして、マイクロフォン用密閉部品１１の側壁の他方の端部（マイクロフォン用密閉部品１１の他方の開口部の周囲の側壁の端部）は、マイクロフォン用防水シート１０の他方の面に接し、電気基板５０によって加えられた力にもとづいて、マイクロフォン用防水シート１０をフロントケース１の主面の内壁に押しつける。
【００２９】
また、スピーカ用防水シート８の一方の面が、フロントケース１の内壁におけるスピーカ孔２７を覆う領域に貼付される。そして、フロントケース１の主面の内壁におけるスピーカ孔２７の周囲およびスピーカの周囲を覆う側壁を有し、スピーカによって出力された音声が中空に形成されている内部を通過する立柱状のスピーカ用密閉部品９がスピーカ用防水シート８の他方の面の上に設置される。
【００３０】
なお、スピーカ用密閉部品９の側壁の一方の端部（スピーカ用密閉部品９の一方の開口部の周囲の側壁の端部）は、電気基板５０に接し、当該電気基板５０によってフロントケース１の主面の内壁の方向に力が加えられる。そして、スピーカ用密閉部品９の側壁の他方の端部（スピーカ用密閉部品９の他方の開口部の周囲の側壁の端部）は、スピーカ用防水シート８の他方の面に接し、電気基板５０によって加えられた力にもとづいて、スピーカ用防水シート８をフロントケース１の主面の内壁に押しつける。
【００３１】
マイクロフォン用防水シート１０およびスピーカ用防水シート８は、空気を通過させるが水を通過させないメッシュ状に形成されている。マイクロフォン孔２６を通過した音声がマイクロフォン用密閉部品１１の内部を通過してマイクロフォンに入力されるように構成され、スピーカによって出力された音声がスピーカ用密閉部品９の内部を通過してスピーカ孔２７から出力されるように構成されているので、マイクロフォン用密閉部品１１およびスピーカ用密閉部品９を用いない場合に比べて、マイクロフォンおよびスピーカの音響特性を高めることができる。
【００３２】
電気基板５０におけるフロントケース１の主面の内壁に向かい合う一方の面は、柔軟性のあるシリコンゴムが板状に成形されたパッキン部品４の一方の面に両面テープ５を用いて接着される。パッキン部品４における他方の面は、リアカバー２の主面の内壁に向かい合う。なお、パッキン部品４には、軟質性樹脂であれば、シリコンゴム以外のゴム材料やエラストマ、および一般的にパッキンとして使用されている材料が用いられていてもよい。
【００３３】
リアカバー２の主面の外壁の四隅の近傍には貫通穴を有する凹部がそれぞれ設けられ、当該貫通穴に応じた位置におけるリアカバー２の主面の内壁には凸形状部が設けられている。つまり、リアカバー２の主面の内壁の四隅の近傍には貫通穴を有する凸形状部が設けられている。
【００３４】
また、フロントケース１の主面の内壁における四隅の近傍には内壁に螺旋状の溝を有するねじ穴が形成された凸形状部が設けられている。そして、ハウジング用ねじ２０によってフロントケース１とリアカバー２とが締結される。具体的には、リアカバー２とフロントケース１とは、リアカバー２の外壁に設けられた凹部の底面にハウジング用ねじ２０の頭部の底面が接し、螺旋状の溝を有するハウジング用ねじ２０の円柱部が貫通穴を通されてフロントケース１に設けられたねじ穴に取り付けられて締結される。
【００３５】
また、パッキン部品４、両面テープ５および電気基板５０におけるフロントケース１に設けられた凸形状部およびリアカバー２に設けられた凸形状部に応じた領域には切り欠きが設けられ、パッキン部品４、両面テープ５および電気基板５０は、フロントケース１に設けられた凸形状部およびリアカバー２に設けられた凸形状部に接触しないように構成されている。そして、パッキン部品４、および当該パッキン部品４に両面テープ５を用いて接着された電気基板５０は、フロントケース１の内壁とリアカバー２の内壁との間の空間に、パッキン部品４の周縁部４１を介してフロントケース１およびリアカバー２に浮動的に支持されて設置される。
【００３６】
図３は、パッキン部品４の周縁部４１の近傍を示す断面図である。パッキン部品４における両面の周縁部４１は、板状のパッキン部品４の厚さ方向にそれぞれ凸形状に成形された凸形状部を有する。そして、フロントケース１の側面を構成する壁である側壁の端部には、当該凸形状に応じた凹形状の溝１−ａが形成されている。また、リアカバー２の側面を構成する壁である側壁の端部には、当該凸形状に応じた凹形状の溝２−ａが形成されている。パッキン部品４における両面の周縁部４１の凸形状部は、フロントケース１の側壁の端部の溝１−ａまたはリアカバー２の側壁の端部の溝２−ａに圧縮されて嵌め合わされ、外部からの水の侵入を防ぐ。
【００３７】
一端が外部機器（例えば、ＡＣアダプタやヘッドフォン）に接続されたケーブル（例えば、ＵＳＢケーブル）の他端が接続される外部コネクタ５３は、フロントケース１の側面の外壁にコネクタ用ねじ２３で締結されて固定される。そして、外部コネクタ５３と電気基板５０とは、フレキシブルケーブル５４を介して接続される。
【００３８】
リアカバー２の主面の外壁には、ケーブル５６が接続された電池５５を収容する凹部である電池収容部が設けられている。そして、当該電池収容部の底面には、ケーブル５６を通過させる貫通穴が設けられている。また、パッキン部品４および両面テープ５における当該貫通穴に対応する位置には、ケーブル５６を通過させる貫通穴が設けられている。ケーブル５６の一端は、電池収容部に設けられた貫通穴、パッキン部品４に設けられた貫通穴および両面テープ５に設けられた貫通穴を通過して、電気基板５０に設置されたコネクタに接続される。電池５５は、ケーブル５６を介して電気基板５０に電力を供給する。
【００３９】
リアカバー２の主面の外壁に設けられた電池収容部は、当該外壁に電池用ねじ２２によって締結されて固定される電池カバー３によって覆われる。電池収容部の周縁には、電池部パッキン１２が設置される。図４は、電池部パッキン１２の近傍を示す断面図である。電池部パッキン１２は、電池収容部の周縁に設けられた凹部の底面と電池カバー３において当該凹部の底面に向かい合う面とに接し、外部から電池収容部への水の侵入を防ぐ。
【００４０】
次に、各部品間の接続について図面を参照して説明する。図５は、図１に示す携帯型電子機器１００の断面を示す説明図である。図５（Ａ）は、図１に示す携帯型電子機器１００の正面図である。図５（Ｂ）は、図１に示す携帯型電子機器１００を側方から見た断面図である。図５（Ｃ）は、図１に示す携帯型電子機器１００を上方から見た断面図である。
【００４１】
本実施形態の携帯型電子機器１００の電気基板５０は、フロントケース１およびリアカバー２に浮動的に接続されて設置される。すると、電気基板５０にユーザによって操作ボタン６が押下されたことを検出するスイッチが設置されていた場合に、ユーザが操作ボタン６を押下するために当該操作ボタン６に与えた力がパッキン部品４によって吸収されてスイッチに伝達されず、当該ユーザの操作に応じた動作を行うことができなくなったり、ユーザによる操作ボタン６の操作感を損ねたりする。そこで、本実施形態の携帯型電子機器１００は、フロントケース１およびリアカバー２に浮動的に接続されて設置された電気基板５０とは別個に、操作ボタン６が押下されたことを検出するスイッチが設置されたボタン基板５１が設置されている。そして、図５（Ｂ）に示すように、ボタン基板５１と電気基板５０とは、フレキシブルケーブル５２を介して接続されている。
【００４２】
また、電気基板５０とフロントケース１とは、スピーカ用密閉部品９およびマイクロフォン用密閉部品１１を介して接続されるので、スピーカ用密閉部品９およびマイクロフォン用密閉部品１１は、所定の形状に成形された軟質性のスポンジやゴムであることが好ましい。そのように構成された場合には、フロントケース１に加えられた力やフロントケース１の変形の影響を電気基板５０に与えることを防ぎ、かつ、スピーカおよびマイクロフォンの音響特性の低下を防ぐことができる。なお、スピーカおよびマイクロフォンをフロントケース１の内壁に直接設置し、当該スピーカおよび当該マイクロフォンと電気基板５０とがフレキシブルケーブル等のケーブルによって接続されていてもよい。
【００４３】
また、図５（Ｃ）に示すように、外部コネクタ５３と電気基板５０とは、フレキシブルケーブル５４を介して接続される。
【００４４】
図１５および図１６に示す例では、電気基板１５０に、電池の電力供給端子に接続されるコネクタが設置されている。本実施形態の携帯型電子機器１００の電気基板５０はフロントケース１およびリアカバー２に浮動的に支持されて設置されるので、当該電気基板５０に当該コネクタを設置する構成を採用した場合に、フロントケース１またはリアカバー２に加えられた力によって当該コネクタと電池の電力供給端子とが接触しない状態になることが考えられる。そこで、図５（Ｂ）に示すように、本実施形態の携帯型電子機器１００における電気基板５０と電池５５とは電池５５のケーブル５６を介して接続されることが好ましい。そのように構成された場合には、フロントケース１またはリアカバー２に加えられた力によって電気基板５０と電池５５とが接触しない状態になることを防ぐことができる。
【００４５】
なお、リアカバー２における電池５５の電力供給端子に応じた位置にコネクタが設置され、当該コネクタと電気基板５０とがフレキシブルケーブル等のケーブルで接続されていてもよい。
【００４６】
また、電池５５が電気基板５０に搭載されていてもよい。しかし、本実施形態の携帯型電子機器１００の電気基板５０はフロントケース１およびリアカバー２に浮動的に支持されて設置されているので、電池５５の重量を考慮してパッキン部品４の形状や材質が決定されることが好ましい。
【００４７】
また、図１５に例示したように外部コネクタ５３が電気基板５０に固定されて設置されることが考えられる。しかし、そのように構成された場合に、本実施形態の携帯型電子機器１００の電気基板５０はフロントケース１およびリアカバー２に浮動的に支持されて設置されているので、電気基板５０の位置がフロントケース１に対して変化すると外部コネクタ５３も移動することになる。そうすると、フロントケース１に、外部コネクタ５３が移動する範囲に応じた大きさの開口部を設けなければならず、防水性が低下したり、当該開口部を介して携帯型電子機器１００の内部が視認されることによって美観が悪化したりすることになる。
【００４８】
そこで、本実施形態の携帯型電子機器１００では、図２に示すように、外部コネクタ５３をフロントケース１に固定して設置して当該外部コネクタ５３と電気基板５０とがフレキシブルケーブル５４を介して接続されている。なお、外部コネクタ５３を電気基板５０に固定されて搭載され、当該外部コネクタ５３とフロントケース１との間に軟質製のスポンジやゴムが加工された部品が挟まれて設置されていてもよい。そのように構成された場合には、防水性能の低下、および美観の悪化を防ぐことができる。
【００４９】
また、パッキン部品４における外部コネクタ５３が設置される位置に対応する範囲が、フロントケース１に設けられた開口部の形状および大きさと外部コネクタ５３の形状および大きさとに応じた形状であって、フロントケース１の側面の内壁と外部コネクタ５３とに挟まれる形状に成形されていてもよい。図６は、パッキン部品４における外部コネクタ５３の近傍の形状例を示す断面図である。図６に示す例では、パッキン部品４における外部コネクタ５３が設置される位置の近傍の形状が、フロントケース１に設けられた開口部の形状および大きさと外部コネクタ５３の形状および大きさに応じた形状であって、フロントケース１の側面の内壁と外部コネクタ５３とに挟まれる形状に成形されている。
【００５０】
本実施形態の携帯型電子機器１００の電気基板５０はフロントケース１およびリアカバー２に浮動的に支持されて設置されているので、電気基板５０が所定の共振周波数で振動することが考えられる。そこで、パッキン部品４の厚さを厚くしたり、パッキン部品４における両面テープ５で電気基板５０が接着されている部分と周縁部４１との間の領域の形状に変形しづらい形状を採用したり、当該領域を他の部品を用いて補強したり、パッキン部品４により固い素材を用いたりして、共振周波数を高くしてもよい。
【００５１】
また、パッキン部品４の厚さを薄くしたり、パッキン部品４における両面テープ５で電気基板５０が接着されている部分と周縁部４１との間の領域の形状に変形しやすい形状を採用したり、パッキン部品４により柔らかい素材を用いたりして、共振周波数を低くしてもよい。つまり、電気基板５０の共振周波数を当該電気基板５０の動作（より具体的には、電気基板５０に搭載された部品の動作）に影響を及ぼさない周波数に設定することを考慮して、パッキン部品４の形状や素材が決定されることが好ましい。
【００５２】
また、携帯型電子機器１００の用途等に応じて電気基板５０の共振周波数をさらに高くする必要がある場合には、パッキン部品４におけるリアカバー２の主面の内壁に向かい合う面に、当該リアカバー２の主面の内壁に先端が接する凸形状部４２が設けられていてもよい。図７は、リアカバー２の主面の内壁に先端が接する凸形状部４２が設けられたパッキン部品４を含む携帯型電子機器１００の例を示す説明図である。図７（Ａ）は、リアカバー２の主面の内壁に先端が接する凸形状部４２が設けられたパッキン部品４を含む携帯型電子機器１００の正面図である。図７（Ｂ）は、リアカバー２の主面の内壁に先端が接する凸形状部４２が設けられたパッキン部品４を含む携帯型電子機器１００を側方から見た断面図である。
【００５３】
図７（Ｂ）に示す例では、パッキン部品４におけるリアカバー２の主面の内壁に向かい合う面に、当該リアカバー２の主面の内壁に先端が接する凸形状部４２が設けられており、パッキン部品４がフロントケース１およびリアカバー２の側面の端部以外の部分に接し、共振周波数を高めることができる。また、パッキン部品４が携帯型電子機器１００の正面側の方向および背面側の方向に振動した場合に、電気基板５０の振動の振幅を制限することができる。
【００５４】
また、フロントケース１の内壁またはリアカバー２の内壁と電気基板５０との間に、マイクロフォン用密閉部品１１およびスピーカ用密閉部品９と同様な素材の部品が設置されたり、電気基板５０の振動を抑制する専用部品が設置されたりしてもよい。
【００５５】
なお、複数の電気基板５０を階層状または平面状に並べて固定するフレーム６１がパッキン部品４に設置されていてもよい。そのように構成された場合には、複数の電気基板５０を有する携帯型電子機器１００に与えられた力による当該複数の電気基板５０への影響を低減することができる。
【００５６】
さらに、パッキン部品４とフレーム６１とが２色成形部品であってもよい。図８は、パッキン部品４とフレーム６１とが一の２色成形部品である場合の例を示す断面図である。図８に示すように、パッキン部品４とフレーム６１とが２色成形により１部品として携帯型電子機器１００に搭載された場合には、パッキン部品４とフレーム６１とがより堅固に固定される。また、両面テープ５などの固定用部品を使用する必要がなくなり、部品点数を削減することができる。そして、携帯型電子機器１００の組み立て作業を容易化することができる。
【００５７】
パッキン部品４とフレーム６１とがかしめ作業によって１部品に圧着されるように成形されていてもよい。そのような構成によれば、高価な２色成形用の金型を用いることなく、圧着工程を追加して、携帯型電子機器１００の部品点数の削減や組み立て作業の容易化という効果を得ることができる。
【００５８】
また、パッキン部品４が電気基板５０の周縁に嵌め込まれて構成されていてもよい。図９は、パッキン部品４が電気基板５０の周縁に嵌め込まれるように構成されている携帯型電子機器１００の例を示す断面図である。図９に示すように、パッキン部品４が電気基板５０の周縁に嵌め込まれるように構成されている場合には、図５（Ｂ）、図７（Ｂ）に例示したパッキン部品４と電気基板５０とが両面テープ５によって接着されている場合に比べて、両面テープ５が接着される部分におけるパッキン部品４の厚さの分だけ、電気基板５０が設置されるための空間を狭くすることができる。
【００５９】
また、複数の電気基板５０がフレーム６１によって固定されている場合に、パッキン部品４が当該フレーム６１の周縁に嵌め込まれて構成されていてもよい。図１０は、パッキン部品４がフレーム６１の周縁に嵌め込まれるように構成されている携帯型電子機器１００の例を示す断面図である。そのように構成された場合にも、両面テープ５が接着される部分におけるパッキン部品４の厚さの分だけ、電気基板５０が設置されるための空間を狭くすることができる。
【００６０】
また、パッキン部品４が電気基板５０の周囲を覆う袋状に成形されていてもよい。図１１は、袋状に成形されたパッキン部品４が電気基板５０を覆う携帯型電子機器１００の例を示す断面図である。図１１に示す例では、袋状に成形されたパッキン部品４の内部に電気基板５０が設置されている。そのように構成された場合には、電気基板５０とパッキン部品４とを接着するための両面テープ５を用いることなく、電気基板５０をパッキン部品４の内部に設置することができる。なお、袋状に成形されたパッキン部品４には、電気基板５０を内部に収容するための開口部が設けられている。また、当該パッキン部品４には、電気基板５０に設置された部品との接触を避けるための開口部が設けられていてもよい。
【００６１】
また、複数の電気基板５０がフレーム６１によって固定されている場合に、パッキン部品４がフレーム６１によって固定された電気基板５０の周囲を覆う袋状に成形されていてもよい。図１２は、袋状に成形されたパッキン部品がフレームによって固定された電気基板を覆う携帯型電子機器１００の例を示す断面図である。図１２に示す例では、袋状に成形されたパッキン部品４の内部にフレーム６１によって固定された電気基板５０が設置されている。なお、袋状に成形されたパッキン部品４には、電気基板５０を内部に収容するための開口部が設けられている。また、当該パッキン部品４には、電気基板５０に設置された部品との接触を避けるための開口部が設けられていてもよい。
【００６２】
また、図３に示すように、本実施形態の携帯型電子機器のパッキン部品４における両面の周縁部４１は、パッキン部品４の厚さ方向にそれぞれ１箇所ずつ凸形状に成形されている。しかし、パッキン部品４における両面の周縁部４１が厚さ方向にそれぞれ２箇所ずつ凸形状に成形され、フロントケース１の側面の端部およびリアカバー２の側面の端部に、当該凸形状に応じた凹形状に溝がそれぞれ形成されていてもよい。図１３は、両面の周縁部４１が、厚さ方向にそれぞれ２箇所ずつ凸形状に成形されているパッキン部品４の例を示す断面図である。本実施形態の携帯型電子機器１００のパッキン部品４には両面テープで電気基板５０が接着されているので、電気基板５０が振動した場合に、当該パッキン部品４の周縁部４１に成形された凸形状部には当該パッキン部品４を携帯型電子機器１００の内側に向かう方向に力が加えられ、パッキン部品４による防水性能が低下するおそれがある。
【００６３】
そこで、図１３に示す例では、パッキン部品４の周縁部４１の両面にそれぞれ２つずつ成形されている凸形状部のうち、電気基板５０に近い方の凸形状部が携帯型電子機器１００の内側に向かう方向に加えられた力によってパッキン部品４の周縁部４１が携帯型電子機器１００の内側に移動することを防ぐ。そして、パッキン部品４の周縁部４１の両面にそれぞれ２つずつ成形されている凸形状部のうち、電気基板５０に遠い方の凸形状部が携帯型電子機器１００の外部からの水の侵入を防ぐ。よって、図１３に示すようにパッキン部品４の周縁部４１が成形されている場合に、防水性能の低下を防ぐことができる。
【００６４】
本実施形態によれば、パッキン部品４、両面テープ５および電気基板５０は、フロントケース１に設けられた凸形状部およびリアカバー２に設けられた凸形状部に接触しないように構成され、電気基板５０は、柔軟性のあるシリコンゴムが板状に成形されたパッキン部品４の周縁部４１を介してフロントケース１およびリアカバー２に浮動的に支持されているので、フロントケース１またはリアカバー２に力が加えられた場合であっても、パッキン部品４における周縁部４１と電気基板５０が両面テープ５によって接着されている部分との間の領域が当該力を吸収するので、電気基板５０への当該力の伝達を防ぐことができる。
【００６５】
また、フロントケース１またはリアカバー２に力が加えられたことに応じてフロントケース１またはリアカバー２が変形した場合であっても、パッキン部品４における周縁部４１と電気基板５０が両面テープ５によって接着されている部分との間の領域が当該変形に応じて変形するので、電気基板５０の変形を防ぐことができる。
【００６６】
さらに、パッキン部品４の周縁部４１に設けられた凸形状部が、フロントケース１の側壁の端部に設けられた溝１−ａおよびリアカバー２の側壁の端部に設けられた溝２−ａに嵌合するので、駆体部材を小型化することなく、携帯型電子機器１００の外部からの水の侵入を防ぐことができる。
【００６７】
また、パッキン部品４を、電気基板５０の支持に用いるので、電気基板５０をフロントケース１に固定するためのねじ等の部品を増加させずに、上述した効果を得ることができる。
【００６８】
また、パッキン部品４の周縁部４１における凸形状部をフロントケース１の側壁の端部の溝１−ａおよびリアカバー２の側壁の端部の溝２−ａにより密着させるために、より軟質な樹脂をパッキン部品４に採用した場合であっても、電気基板５０に両面テープ５で接着されたり、電気基板５０やフレーム６１の周縁に嵌合されたりするので、当該パッキン部品４を容易にフロントケース１およびリアカバー２に取り付けることができる。
【００６９】
従って、本実施形態によれば、高い防水性能と高い強度とを両立することができる。
【００７０】
次に、本発明の概要について説明する。図１４は、本発明の概要を示す分解斜視図である。図１４に示すように、本発明による携帯型電子機器２００は、正面側筐体２０１（図２に示すフロントケース１に相当）、背面側筐体２０２（図２に示すリアカバー２に相当）、電気基板２０３（図２に示す電気基板５０に相当）、および支持部材２０４（図２に示すパッキン部品４に相当）を含む。正面側筐体２０１は、携帯型電子機器２００の正面側の筐体である。背面側筐体２０２は、携帯型電子機器２００の背面側の筐体である。電気基板２０３は、正面側筐体２０１によって一方の面が覆われ、背面側筐体２０２によって他方の面が覆われ、電気部品が搭載されている。支持部材２０４は、電気基板２０３を支持する軟質性樹脂である。
【００７１】
正面側筐体２０１および背面側筐体２０２は、携帯型電子機器２００の側面を覆う側壁をそれぞれ含む。また、正面側筐体２０１の側壁の端部および背面側筐体２０２の側壁の端部には、凹形状の溝（図３に示す溝１−ａおよび２−ａに相当）がそれぞれ設けられている。支持部材２０４は、正面側筐体２０１の側壁の端部に設けられた溝に嵌合する正面側凸形状部と背面側筐体２０２の側壁の端部に設けられた溝に嵌合する背面側凸形状部とがそれぞれ形成されて正面側筐体と背面側筐体とに支持される周縁部２１４（図３に示す周縁部４１に相当）を含む。
【００７２】
そのような構成によれば、電気基板２０３は、軟質性樹脂である支持部材２０４の周縁部２１４を介して正面側筐体２０１および背面側筐体２０２に浮動的に支持されているので、正面側筐体２０１または背面側筐体２０２に力が加えられた場合であっても、支持部材２０４における周縁部２１４と電気基板２０３が支持されている部分との間の領域が当該力を吸収するので、電気基板２０３への当該力の伝達を防ぐことができる。
【００７３】
また、正面側筐体２０１または背面側筐体２０２に力が加えられたことに応じて正面側筐体２０１または背面側筐体２０２が変形した場合であっても、支持部材２０４における周縁部２１４と電気基板２０３が支持されている部分との間の領域が当該変形に応じて変形するので、電気基板２０３の変形を防ぐことができる。
【００７４】
さらに、支持部材２０４の周縁部２１４に設けられた凸形状部が、正面側筐体２０１の側壁の端部に設けられた溝および背面側筐体２０２の側壁の端部に設けられた溝に嵌合するので、駆体部材を小型化することなく、携帯型電子機器２００の外部からの水の侵入を防ぐことができる。
【００７５】
従って、本実施形態によれば、高い防水性能と高い強度とを両立することができる。
【００７６】
また、上記の実施形態では、以下の（１）〜（８）に示すような携帯型電子機器も開示されている。
【００７７】
（１）電気基板２０３を保持する保持部材（図２に示す両面テープ５または図８に示すフレーム６１に相当）を備え、支持部材２０４は、保持部材を介して電気基板２０３を支持する携帯型電子機器。
【００７８】
（２）支持部材２０４と保持部材とは、２色成形によって一の部品に成形されている携帯型電子機器。そのように構成された場合には、電気基板２０３を支持部材２０４に固定する固定用部品を使用する必要がなくなり、部品点数を削減することができる。そして、携帯型電子機器の組み立て作業を容易化することができる。
【００７９】
（３）支持部材２０４と保持部材とは、かしめ作業によって圧着されている携帯型電子機器。そのように構成された場合には、高価な２色成形用の金型を用いることなく、電気基板２０３を支持部材２０４に固定する固定用部品を使用する必要がなくなり、部品点数を削減することができる。そして、携帯型電子機器の組み立て作業を容易化することができる。
【００８０】
（４）支持部材２０４は、周縁部２１４に囲まれ、電気基板２０３の外形に応じた形状の空間である収容部と、収容部に収容された電気基板２０３の端部を支持する基板支持部とを含む携帯型電子機器。そのように構成された場合には、電気基板２０３が設置されるための空間を狭く（より具体的には、薄く）することができる。
【００８１】
（５）支持部材２０４は、周縁部２１４に囲まれ、保持部材の外形に応じた形状の空間である収容部と、収容部に収容された保持部材の端部を支持するフレーム支持部とを含む携帯型電子機器。そのように構成された場合には、電気基板２０３が設置されるための空間を狭く（より具体的には、薄く）することができる。
【００８２】
（６）支持部材２０４は、周縁部２１４に囲まれ、電気基板２０３の外形に応じた袋状に成形されて内部に電気基板２０３を収容する収容部を含む携帯型電子機器。
【００８３】
（７）支持部材２０４は、周縁部２１４に囲まれ、保持部材の外形に応じた袋状に成形されて内部に保持部材を収容する収容部を含む携帯型電子機器。
【００８４】
（８）正面側筐体２０１の側壁の端部および背面側筐体２０２の側壁の端部には、複数の凹形状の溝がそれぞれ設けられ、支持部材２０４の周縁部２１４には、正面側筐体２０１の側壁の端部に設けられた複数の溝にそれぞれ嵌合する複数の正面側凸形状部と背面側筐体の側壁の端部に設けられた複数の溝にそれぞれ嵌合する複数の背面側凸形状部とがそれぞれ形成されている携帯型電子機器。そのように構成された場合には、電気基板２０３に近い方の凸形状部が携帯型電子機器の内側に向かう方向に加えられた力によって支持部材２０４の周縁部２１４が携帯型電子機器の内側に移動することを防ぐ。そして、電気基板２０３に遠い方の凸形状部が携帯型電子機器の外部からの水の侵入を防ぐ。よって、防水性能の低下を防ぐことができる。
【００８５】
上記の実施形態の一部または全部は、以下のようにも記載されうるが、以下には限られない。
【００８６】
（付記１）一方の筐体によって一方の面が覆われ、他方の筐体によって他方の面が覆われ、端部に凹形状の溝がそれぞれ設けられた前記一方の筐体および他方の筐体の側壁によって側面を覆われた電気基板を支持する支持部と、前記一方の筐体の側壁の端部に設けられた溝に嵌合する正面側凸形状部と前記他方の筐体の側壁の端部に設けられた溝に嵌合する背面側凸形状部とがそれぞれ形成されて前記第１の筐体と前記第２の筐体とに支持される周縁部とを備え、前記支持部と前記周縁部とは軟質性樹脂であることを特徴とする電気基板の支持部材。
【００８７】
（付記２）支持部材は、電気基板を保持する保持部材を介して前記電気基板を支持する付記１に記載の電気基板の支持部材。
【産業上の利用可能性】
【００８８】
本発明を、携帯型電子機器に適用することができる。
【符号の説明】
【００８９】
１  フロントケース
１−ａ、２−ａ  溝
２  リアカバー
３  電池カバー
４  パッキン部品
５  両面テープ
６  操作ボタン
７  ボタン固定フレーム
８  スピーカ用防水シート
９  スピーカ用密閉部品
１０  マイクロフォン用防水シート
１１  マイクロフォン用密閉部品
１２  電池部パッキン
２０  ハウジング用ねじ
２１  ボタン固定ねじ
２３  コネクタ用ねじ
２５  外部コネクタ孔
２６  マイクロフォン孔
２７  スピーカ孔
２８  表示部
４１  周縁部
４２  凸形状部
５０、２０３  電気基板
５１  ボタン基板
５３  外部コネクタ
５４  フレキシブルケーブル
５５  電池
５６  ケーブル
６１  フレーム
２０１  正面側筐体
２０２  背面側筐体
２０４  支持部材
【図１】
0005429879.tif 000002
【図２】
0005429879.tif 000003
【図３】
0005429879.tif 000004
【図４】
0005429879.tif 000005
【図５】
0005429879.tif 000006
【図６】
0005429879.tif 000007
【図７】
0005429879.tif 000008
【図８】
0005429879.tif 000009
【図９】
0005429879.tif 000010
【図１０】
0005429879.tif 000011
【図１１】
0005429879.tif 000012
【図１２】
0005429879.tif 000013
【図１３】
0005429879.tif 000014
【図１４】
0005429879.tif 000015
【図１５】
0005429879.tif 000016
【図１６】
0005429879.tif 000017